(57)【要約】【課題】昇降がコード式タイプのブラインドにおいて調光コードの弛み及び過負荷を防止し、製作可能寸法を大きくすることができるブラインドを提供する。【解決手段】ヘッドボックス１０に上スクリーン１４の上端が取り付けられ、上スクリーン１４の下端に取り付けられた中間バー１８に下スクリーン１６の上端が取り付けられ、ヘッドボックス１０から昇降可能に垂下した昇降コード２２の一端が下スクリーン１６の下端に取り付けられ、ヘッドボックス１０から昇降可能に垂下した調光コード３２の一端が中間バー１８に取り付けられ、昇降コード２２の他端はストッパー２４を介してヘッドボックス１０から垂下されて操作つまみ２６となり、調光コード３２の他端はストッパー３４を介してヘッドボックス１０から垂下されて操作つまみ３６となり、調光コード３２の弛みを検出する弛み検出手段４０が設けられ、弛み検出手段４０は、調光コード３２の弛みが発生したときに、昇降コード２２を係止して操作つまみ２６の操作を不能にする。【選択図】図１
2008088649.tif 000002
【特許請求の範囲】
【請求項１】
ヘッドボックス（１０）に第１遮蔽材（１４）の上端が取り付けられ、第１遮蔽材（１４）の下端に取り付けられた中間バー（１８）に第２遮蔽材（１６）の上端が取り付けられ、ヘッドボックス（１０）から昇降可能に垂下した昇降コード（２２）の一端が第２遮蔽材（１６）の下端に取り付けられ、ヘッドボックス（１０）から昇降可能に垂下した調光コード（３２）の一端が中間バー（１８）に取り付けられ、昇降コード（２２）の一端が昇降することによって第２遮蔽材（１６）の下端が上昇・下降するようにし、調光コード（３２）の一端が昇降することによって中間バー（１８）が上昇・下降するようにして第１遮蔽材（１４）と第２遮蔽材（１６）の露出割合が変化するブラインドにおいて、
昇降コード（２２）の他端は第１ストッパー（２４）を介してヘッドボックスから垂下されて第１操作部（２６）を形成し、調光コード（３２）の他端は第２ストッパー（３４）を介してヘッドボックスから垂下されて第２操作部（３６）を形成しており、調光コード（３２）の弛みを検出する弛み検出手段（４０）が設けられ、弛み検出手段（４０）は、調光コード（３２）の弛みが発生したときに、昇降コード（２２）を係止して第１操作部（２６）の操作を不能にすることを特徴とするブラインド。
【請求項２】
前記弛み検出手段（４０）は、ヘッドボックスから垂下される調光コードがヘッドボックス内にて巻き掛けられるガイド（４６）と、該ガイドと共にスライド可能であると共に該スライドによって昇降コードを係止可能な第３ストッパー（４８，５０）とを備え、調光コードが弛むと前記ガイドがスライドして第３ストッパーが昇降コードを係止することを特徴とする請求項１記載のブラインド。
【請求項３】
前記ガイドは付勢手段（５４）によって、第３ストッパーが昇降コードを係止するスライド方向に付勢されることを特徴とする請求項２記載のブラインド。
【発明の詳細な説明】
【技術分野】
【０００１】
本発明は、昇降コードと調光コードとを備え、第１遮蔽材と第２遮蔽材の露出割合を変化させることができるブラインドに関する。
【背景技術】
【０００２】
従来、この種のブラインドとしては、特許文献１に記載されたものが知られている。該特許文献１に記載されたものでは、調光コードの弛みを検出する弛み検出手段が設けられ、弛み検出手段が調光コードの弛みを検出したときに昇降コードの一端の上昇操作を規制するようになっている。その詳細は、昇降コードの他端がヘッドボックス内に設けた巻取装置に巻取り・巻解き可能に連結されており、弛み検出手段は調光コードの弛みを検出したときに、巻取装置の巻取りを規制し、調光コードの弛みが発生したままブラインドを上昇して畳み込まれた第１遮蔽材の間から調光コードがフケる、といった事態を防ぐことができるようになっている。
【０００３】
【特許文献１】特許第３６９１３７３号公報
【発明の開示】
【発明が解決しようとする課題】
【０００４】
しかしながら、上記従来の構成は昇降コードの他端を巻取装置に巻取り・巻解き可能に連結している構成であるため、昇降コードの他端をストッパーを介してヘッドボックスから垂下させて操作部を形成する、所謂コード式タイプの構成には適用することができない。
【０００５】
このように、コード式タイプにおいて調光コードに弛みが発生すると、昇降コードの一端を上昇する操作をしていったときに、第２遮蔽材の下端が一緒に中間バーを上昇させるために、中間バー及び第１遮蔽材の荷重も昇降コードにかかってしまい、各部品に過負荷がかかり、製作可能寸法が制限されてしまう、という問題がある。
【０００６】
本発明はかかる課題に鑑みなされたもので、昇降がコード式タイプのブラインドにおいて調光コードの弛み及び過負荷を防止し、製作可能寸法を大きくすることができるブラインドを提供することをその目的とする。
【課題を解決するための手段】
【０００７】
前述した目的を達成するために、請求項１記載の発明は、ヘッドボックスに第１遮蔽材の上端が取り付けられ、第１遮蔽材の下端に取り付けられた中間バーに第２遮蔽材の上端が取り付けられ、ヘッドボックスから昇降可能に垂下した昇降コードの一端が第２遮蔽材の下端に取り付けられ、ヘッドボックスから昇降可能に垂下した調光コードの一端が中間バーに取り付けられ、昇降コードの一端が昇降することによって第２遮蔽材の下端が上昇・下降するようにし、調光コードの一端が昇降することによって中間バーが上昇・下降するようにして第１遮蔽材と第２遮蔽材の露出割合が変化するブラインドにおいて、
昇降コードの他端は第１ストッパーを介してヘッドボックスから垂下されて第１操作部を形成し、調光コードの他端は第２ストッパーを介してヘッドボックスから垂下されて第２操作部を形成しており、調光コードの弛みを検出する弛み検出手段が設けられ、弛み検出手段は、調光コードの弛みが発生したときに、昇降コードを係止して第１操作部の操作を不能にすることを特徴とする。
【０００８】
請求項２記載の発明は、請求項１記載の前記弛み検出手段が、ヘッドボックスから垂下される調光コードがヘッドボックス内にて巻き掛けられるガイドと、該ガイドと共にスライド可能であると共に該スライドによって昇降コードを係止可能な第３ストッパーとを備え、調光コードが弛むと前記ガイドがスライドして第３ストッパーが昇降コードを係止することを特徴とする。
【０００９】
請求項３記載の発明は、請求項１記載の前記ガイドが、付勢手段によって、第３ストッパーが昇降コードを係止するスライド方向に付勢されることを特徴とする。
【発明の効果】
【００１０】
本発明によれば、弛み検出手段が、調光コードの弛みが発生したときに、昇降コードを係止して第１操作部の操作を不能にするので、所謂、昇降がコード式タイプのブラインドにおいて、調光コードの弛みを防ぐことができる。これによって、中間バー及び第１遮蔽材の荷重が昇降コードに作用することによる第１ストッパー等への過負荷が軽減されて製作可能寸法を拡大することができる。
【００１１】
請求項２記載の発明によれば、調光コードに弛みが発生すると、調光コードが巻き掛けられるガイドに調光コードのテンションが作用しなくなるため、それによって発生する第３ストッパーのスライドにより第３ストッパーが昇降コードを係止することができる。
【００１２】
請求項３記載の発明によれば、ガイドにテンションが作用しなくなると、付勢手段によってガイドと共に第３ストッパーが昇降コードを係止する方向に移動することができる。
【発明を実施するための最良の形態】
【００１３】
以下、図面を用いて本発明の実施の形態を説明する。
図１ないし図８は本発明に係るブラインドの実施形態を表す図である。
【００１４】
図において、１０はヘッドボックスであり、ブラケット１１によって窓枠や壁面等に固定されるものである。ヘッドボックス１０には、第１遮蔽材である上スクリーン１４の上端が取り付けられている。また、上スクリーン１４の下端には中間バー１８が取り付けられており、中間バー１８に第２遮蔽材である下スクリーン１６の上端が取り付けられている。下スクリーン１６の下端はウエイトバー２０となっている。上スクリーン１４及び下スクリーン１６は一例としてそれぞれジグザグ状に折り畳み可能となったプリーツスクリーンで構成される。
【００１５】
ヘッドボックス１０からは複数の昇降コード２２が昇降可能に垂下されており、昇降コード２２の一端は、上スクリーン１４の各襞、中間バー１８及び下スクリーン１６の各襞を挿通し、ウエイトバー２０に連結される。
【００１６】
昇降コード２２の他端は、ヘッドボックス１０内で、方向を転換されてヘッドボックス１０の長手方向に沿って伸び、ヘッドボックス１０内の第１ストッパーとしてのストッパー２４を介してヘッドボックス１０の一端（図１の右端）からヘッドボックス１０を導出して、ブラインドの一端（図１の右端）から垂下されて操作つまみ２６に連結されて第１操作部を構成している。
【００１７】
同じく、ヘッドボックス１０からは複数の調光コード３２が図１において昇降コード２２と前後方向重なるようにして昇降可能に垂下されており、調光コード３２の一端は、上スクリーン１４の各襞を挿通し、中間バー１８に連結される。調光コード３２の他端は、ヘッドボックス１０内で、方向を転換されてヘッドボックス１０の長手方向に沿って伸び、ヘッドボックス１０内の第２ストッパーとしてのストッパー３４を介してヘッドボックス１０の他端（図１の左端）からヘッドボックス１０を導出して、ブラインドの他端（図１の左端）から垂下されて操作つまみ３６に連結されて第２操作部を構成している。
【００１８】
ヘッドボックス１０内には、昇降コード２２及び調光コード３２をヘッドボックス１０内に導入して方向を転換するためのコードガイド３８が取り付けられている。図２ないし図４に示したように、コードガイド３８には、調光コード３２及び昇降コード２２が通過する挿通孔３８ａ、３８ｂが形成されて、各挿通孔３８ａ、３８ｂの上方の近傍には、複数のローラ３８ｃ、３８ｄが軸支されている。昇降コード２２は挿通孔３８ｂを通過後、ローラ３８ｄによって右方へと誘導される。また、調光コード３２は挿通孔３８ａを通過後、ローラ３８ｃによって誘導される。
【００１９】
また、ヘッドボックス内の最も昇降コード２２の導出端側に設けられたコードガイド３８とストッパー２４との間には、弛み検出手段４０が設けられている。弛み検出手段４０は、ヘッドボックス１０に固定される下ケースと上ケースからなるケース４２と、ケース４２内においてヘッドボックス１０の長手方向に沿ってスライド可能となったスライド部材４４と、スライド部材４４に回動軸を上下に向けて軸支されるガイド４６と、スライド部材４４に回動軸を前後に向けて軸支された挟持ローラ４８と、上ケースに形成されて挟持ローラ４８に対向して下方へと突出する受け部５０と、下ケースに形成されて挟持ローラ４８が噛み合い可能となったギヤ部５２と、スライド部材４４を昇降コード導出端の方へと付勢する付勢手段としてのバネ５４と、を有している。
【００２０】
全昇降コード２２は、弛み検出手段４０のケース４２を貫通して、ケース４２内で挟持ローラ４８と受け部５０との間を通過している。これらの挟持ローラ４８と受け部５０は昇降コード２２を係止する第３ストッパーを構成する。バネ５４は、第３ストッパーの挟持ローラ４８と受け部５０が昇降コード２２を係止する方向にガイド４６が取り付けられたスライド部材４４を付勢している。
【００２１】
また、最も昇降コード２２の導出端側に位置する調光コード３２は、弛み検出手段４０を通過して、そこで、ガイド４６に巻き掛けられた後、コードガイド３８において、ローラ３８ｃで方向転換されて、挿通孔３８ａを通過して垂下される。これにより、ガイド４６には、調光コード３２のテンションが作用するようになっている。
【００２２】
調光コード３２が弛んでいない通常時において、調光コード３２のテンションの方がバネ５４の付勢力よりも大きく設定されており、スライド部材４４は図示の左側に付勢されて、挟持ローラ４８は図２ないし図４に示したように、受け部５０よりも離反するような位置に位置づけられている。
【００２３】
以上のように構成されるブラインドにおいて、その動作を説明する。まず、図１に示す状態においては、昇降コード２２の一端が下降しており、ウエイトバー２０が最下端にある。また、調光コード３２の他端がヘッドボックス１０からある程度導出しており、中間バー１８は、上下方向中間高さにある。従って、上スクリーン１４と下スクリーン１６とはほぼ同じ程度の露出割合となっている。
【００２４】
この図１のような状態において、ヘッドボックス１０の他端（図１の左端）にある操作つまみ３６をつまんで、ストッパー３４を解除させて、下方または上方に移動させると、調光コード３２の一端が上方または下方に移動して、中間バー１８を上昇または下降させることができる。この中間バー１８の移動に応じて、上スクリーン１４と下スクリーン１６との露出割合が変化し、露出割合が小さくなった方のスクリーンは下方からその分、折り畳まれることとなる。
【００２５】
図１のように上スクリーン１４が完全に畳み込まれておらず、ある程度の露出割合で露出されている状態からブラインドを完全に上昇させるためには、操作つまみ２６を操作して、ストッパー２４を解除させて下方に移動させる。これによって、昇降コード２２の一端が上方に移動して、ウエイトバー２０が上昇する。ウエイトバー２０の上昇に伴って、最初は下スクリーン１６が下方から折り畳まれていき、下スクリーン１６が完全に折り畳まれると、図５に示すように中間バー１８が持ち上がって上スクリーン１４が下方から折り畳まれていくことになるが、このとき、中間バー１８を支持していた調光コード３２には弛みが発生することになる。
【００２６】
これにより、弛み検出装置４０において、ガイド４６に作用していたテンションが解除される。すると、ガイド４６が取り付けられたスライド部材４４は、バネ５４の付勢力を受け、且つ導出方向へと移動する昇降コード２２から挟持ローラ４８が同方向への力を受けて、図６ないし図８に示すように、挟持ローラ４８が受部５０に接近する方向へとスライドする。そして、挟持ローラ４８がギヤ部５２に噛み合い、挟持ローラ４８は受部５０と共に昇降コード２２を挟持して係止する。こうして昇降コード２２の移動が禁止され、操作つまみ２６の操作が不能となる。
【００２７】
この操作不能を解除するためには、操作つまみ３６を操作して、ストッパー３４を解除させて、調光コード３２の一端を上方に移動して、中間バー１８を上昇させる。この時、調光コード３２のテンションが弛み検出手段４０のガイド４６に作用するため、ガイド４６及びスライド部材４４は、図２ないし図４の状態に戻り、挟持ローラ４８は受け部５０から離れて、昇降コード２２が移動可能となる。そして、そのまま操作を続けて上スクリーン１４を完全に畳み込んだ状態で操作つまみ２６を操作して、ストッパー２４を解除させて、下方に移動させると、ウエイトバー２０が上昇し、上スクリーン１４及び下スクリーン１６とも畳み込まれる。畳み込まれた状態で、調光コード３２は弛んでいないので、畳み込まれた上スクリーン１４からフケることがなく、見栄えを悪化させることがない。
【００２８】
または、操作つまみ２６を操作する前に、図１に示す状態から操作つまみ３６を操作して調光コード３２の一端を上昇させて予め中間バー１８を完全に上昇させた状態とした後、昇降コード２２の一端を上昇させると、ウエイトバー２０が中間バー１８に到達した時点で、ブラインドの上昇動作が終了するため、弛み検出手段４０が作動することなく、ブラインドを上昇させることができる。
【００２９】
一方、昇降コード２２の一端を下降させる際には、挟持ローラ４８は受け部５０から離反した状態を維持しているので、弛み検出手段４０は作動することはなく、昇降コード２２の移動が禁止されることはない。
【００３０】
こうして、本実施形態では、弛み検出手段４０が昇降コード２２を直接係止するために、調光コード３２に弛みが発生したときに、昇降コード２２の移動を禁止することができるようになる。
【００３１】
また、図５に示すような昇降コードに中間バーの荷重がかかってしまう状況において、その昇降コード２２が弛み検出手段４０によって係止されるために、ストッパー２４等に過負荷がかかるのを防ぐことができる。結果として、製作可能寸法を大きくすることができる。
【００３２】
なお、本実施形態では、スライド部材４４をバネ５４にて昇降コード２２を係止する方向に付勢しているが、昇降コード２２の移動に伴って挟持ローラ４８がスライド部材４４とともに移動できる構成であれば、バネ５４を省略しても良い。
【図面の簡単な説明】
【００３３】
【図１】本発明の実施形態にかかるブラインドの正面図である。
【図２】通常時の図１のヘッドボックス内の部分拡大平面図（弛み検出手段の上ケースを除く）である。
【図３】図２の３−３線に沿って見た断面図である。
【図４】図２の４−４線に沿って見た断面図である。
【図５】図１の状態から昇降コードを操作して中間バーが持ち上がった状態を表す正面図である。
【図６】調光コードの弛み発生時の図２相当図である。
【図７】調光コードの弛み発生時の図３相当図である。
【図８】調光コードの弛み発生時の図４相当図である。
【符号の説明】
【００３４】
１０  ヘッドボックス
１４  上スクリーン（第１遮蔽材）
１６  下スクリーン（第２遮蔽材）
１８  中間バー
２２  昇降コード
２４  ストッパー（第１ストッパー）
２６  操作つまみ（第１操作部）
３２  調光コード
３４  ストッパー（第２ストッパー）
３６  操作つまみ（第２操作部）
４０  弛み検出手段
４６  ガイド
４８  挟持ローラ（第３ストッパー）
５０  受け部（第３ストッパー）
５４  バネ（付勢手段）
【図１】
2008088649.tif 000003
【図２】
2008088649.tif 000004
【図３】
2008088649.tif 000005
【図４】
2008088649.tif 000006
【図５】
2008088649.tif 000007
【図６】
2008088649.tif 000008
【図７】
2008088649.tif 000009
【図８】
2008088649.tif 000010